(57)【特許請求の範囲】
【請求項１】
存在物（１０８）を表す存在物の感覚表現（１０２）を受信するトランスフォーマー（１００）を備え、
前記存在物の感覚表現（１０２）は、前記存在物（１０８）の部分である複数のアイテム（１１０）を表す複数の感覚表現（１１２）を備えており、
前記複数のアイテム（１１０）の各々が、一組の測定可能な関心要因（１２４）に対する一組の値（１３０）に関連しており、
前記複数の感覚表現（１１２）の間には、連続的なつながりが存在し、
前記トランスフォーマー（１００）は、前記複数のアイテム（１１０）の各々に関連する前記一組の値（１３０）に基づいて、前記複数の感覚表現（１１２）の各々に対する、一組の倍率（１３８）を計算し、
前記トランスフォーマー（１００）は、前記一組の倍率（１３８）を使用して前記複数の感覚表現（１１２）を修正することにより、複数の修正された感覚表現（１３２）を生成し、
前記複数の修正された感覚表現（１３２）が、前記一組の測定可能な関心要因（１２４）に関する前記複数の修正された感覚表現（１３２）によって表される前記複数のアイテム（１１０）間の相対的な関係性を規定し、
前記連続的なつながりは、前記複数の修正された感覚表現（１３２）の間において維持され、
前記トランスフォーマー（１００）は、前記一組の測定可能な関心要因（１２４）をモニターするように設定された１以上のセンサシステムから時間をかけて連続的に前記一組の値（１３０）を取得し、
前記トランスフォーマー（１００）は、前記一組の値（１３０）が変化する際に、実質的にリアルタイムで前記複数の修正された感覚表現（１３２）をアップデートするように前記一組の倍率（１３８）を調整する、装置。
【請求項２】
前記トランスフォーマー（１００）は、コンピュータシステム（１０６）を使用して実装される、請求項１に記載の装置。
【請求項３】
前記トランスフォーマー（１００）は、前記複数の修正された感覚表現（１３２）を使用して、変換された存在物の感覚表現（１０４）を生成する、請求項１に記載の装置。
【請求項４】
更に出力デバイス（１５０）を備え、
前記出力デバイス（１５０）は、人間の感覚の少なくとも１つを使用して、前記一組の測定可能な関心要因（１２４）に関する前記複数の修正された感覚表現（１３２）によって表される前記複数のアイテム（１１０）間の相対的な関係性を規定する、前記変換された存在物の感覚表現（１０４）を出力する、請求項３に記載の装置。
【請求項５】
前記複数の感覚表現（１１２）の各々の感覚表現は、一組のパラメータ（１３６）に関連し、
前記一組のパラメータ（１３６）の各々は拡大縮小可能であり、
前記トランスフォーマー（１００）は、前記複数の感覚表現（１１２）の各々に対応する前記一組の倍率（１３８）を使用して、前記複数の感覚表現（１１２）の各々に対する前記一組のパラメータ（１３６）を調整することにより、前記複数の修正された感覚表現（１３２）を生成する、請求項１に記載の装置。
【請求項６】
前記存在物の感覚表現（１０２）は、視覚（１１４）、聴覚（１１６）、臭覚（１１８）、触覚（１２０）、又は味覚（１２２）の少なくとも１つを使用して、前記存在物（１０８）を表す、請求項１に記載の装置。
【請求項７】
前記存在物の感覚表現（１０２）は存在物の画像（１４２）であり、前記複数の感覚表現（１１２）は複数の画像部分（１４４）であり、
前記トランスフォーマー（１００）は、前記一組の倍率（１３８）を使用して、前記複数の画像部分（１４４）を修正することにより、変換された存在物の画像（１４８）を生成し、
前記トランスフォーマー（１００）は、前記変換された存在物の画像（１４８）を視覚的に提示するための全ディスプレイ領域を特定し、前記複数の画像部分（１４４）の各々に対する複数のディスプレイ領域（４００）を特定し、前記複数の画像部分（１４４）に対して特定された前記一組の倍率（１３８）を使用して、前記複数の画像部分（１４４）の各々に対して前記複数のディスプレイ領域（４００）を調整することにより、複数の修正されたディスプレイ領域を生成し、
前記トランスフォーマー（１００）は、前記複数の修正されたディスプレイ領域を使用して、複数の修正された画像部分（１４６）を生成し、前記全ディスプレイ領域内での前記複数の修正された画像部分（１４６）の相互の位置を調整することにより、前記変換された存在物の画像（１４８）を生成する、請求項１に記載の装置。
【請求項８】
前記変換された存在物の画像（１４８）のディスプレイを視覚的に提示するディスプレイデバイス（１５２）を更に備え、前記変換された存在物の画像（１４８）は、前記一組の測定可能な関心要因（１２４）に関する前記複数の修正された感覚表現（１３２）によって表される前記複数のアイテム（１１０）間の相対的な関係性を視覚的に規定する、請求項７に記載の装置。
【請求項９】
存在物（１０８）を表す存在物の感覚表現（１０２）を修正するためのコンピュータで実施される方法であって、
前記存在物（１０８）を表す前記存在物の感覚表現（１０２）を受信すること（１６００）を有しており、
前記存在物の感覚表現（１０２）は、前記存在物（１０８）の部分である複数のアイテム（１１０）を表す複数の感覚表現（１１２）を有しており、
前記複数の感覚表現（１１２）の間には、連続的なつながりが存在し、
前記複数のアイテム（１１０）の各々は、一組の測定可能な関心要因（１２４）に対する一組の値（１３０）に関連しており、
前記方法が、
前記複数のアイテム（１１０）の各々に関連する前記一組の値（１３０）に基づいて、前記複数の感覚表現（１１２）の各々に対する一組の倍率（１３８）を計算すること（１６０２）と、
前記一組の倍率（１３８）を使用して、前記複数の感覚表現（１１２）を修正することにより、複数の修正された感覚表現（１３２）を生成すること（１６０４）を有しており、
前記複数の修正された感覚表現（１３２）は、前記一組の測定可能な関心要因（１２４）に関する前記複数の修正された感覚表現（１３２）によって表される前記複数のアイテム（１１０）間の相対的な関係性を規定し、前記連続的なつながりは、前記複数の修正された感覚表現（１３２）の間において維持され、
前記一組の測定可能な関心要因（１２４）をモニターするように設定された１以上のセンサシステムから時間をかけて連続的に前記一組の値（１３０）を取得し、
前記一組の値（１３０）が変化する際に、実質的にリアルタイムで前記複数の修正された感覚表現（１３２）をアップデートするように前記一組の倍率（１３８）を調整する、コンピュータで実施される方法。
【請求項１０】
前記存在物の感覚表現（１０２）を受信することは、
前記複数の感覚表現（１１２）を含む前記存在物の感覚表現（１０２）を受信することを有しており、
前記複数の感覚表現（１１２）の各々は、一組のパラメータ（１３６）に関連する、請求項９に記載のコンピュータで実施される方法。
【請求項１１】
前記複数の感覚表現（１１２）の各々に対する前記一組のパラメータ（１３６）を正規化することを更に有しており、
前記複数の感覚表現（１１２）を修正することは、
前記複数の感覚表現（１１２）の各々に対応する前記一組の倍率（１３８）を使用して、前記複数の感覚表現（１１２）の各々に対する前記一組のパラメータ（１３６）を調整することにより、前記複数の修正された感覚表現（１３２）を生成することを有する、請求項１０に記載のコンピュータで実施される方法。
【請求項１２】
前記複数の修正された感覚表現（１３２）を使用して、変換された存在物の感覚表現（１０４）を生成すること（１９０４）と、
人間の感覚の少なくとも１つを使用して、前記一組の測定可能な関心要因（１２４）に関する前記複数の修正された感覚表現（１３２）によって表される前記複数のアイテム（１１０）間の相対的な関係性を規定する、前記変換された存在物の感覚表現（１０４）を出力すること（１９０６）を更に有する、請求項９に記載のコンピュータで実施される方法。
【請求項１３】
前記存在物の感覚表現（１０２）を受信することは、
複数の画像部分（１４４）を有する存在物の画像（１４２）を受信することを有しており、
前記複数の感覚表現（１１２）を修正することは、
前記複数の画像部分（１４４）の各々に対して特定された前記一組の倍率（１３８）を使用して、前記複数の画像部分（１４４）を修正することにより、変換された存在物の画像（１４８）を生成することを有する、請求項９に記載のコンピュータで実施される方法。
【請求項１４】
前記複数の画像部分（１４４）を修正することは、
前記変換された存在物の画像（１４８）を視覚的に提示するための全ディスプレイ領域を特定することと、
前記全ディスプレイ領域に対して、前記複数の画像部分（１４４）の各々に対する複数のディスプレイ領域（４００）を特定することと、
前記複数の画像部分（１４４）に対して特定された前記一組の倍率（１３８）を使用して、前記複数の画像部分（１４４）の各々に対する前記複数のディスプレイ領域（４００）を調整することにより、複数の修正されたディスプレイ領域を生成することと、
前記複数の修正されたディスプレイ領域を使用して、複数の修正された画像部分（１４６）を生成することと、
前記全ディスプレイ領域内での前記複数の修正された画像部分（１４６）の相互の位置を調整することにより、前記変換された存在物の画像（１４８）を生成することを有する、請求項１３に記載のコンピュータで実施される方法。
【発明の詳細な説明】
【技術分野】
【０００１】
本開示は、広く言えば、人間の感覚によって認識可能なように存在物を表すことに関する。特に、本開示は、１以上の関心要因に関する存在物の感覚表現によって表される１つの存在物の中の複数のアイテム間の相対的な関係性を規定するために、存在物の感覚表現を修正するための方法及び装置に関する。
【背景技術】
【０００２】
ある状況において、複数のアイテムから作り上げられる存在物を理解し、又は解析することは、注目される幾つかのカテゴリーに関する複数のアイテム間の相対的な関係性を理解し、又は解析することを必要とし得る。例えば、人間の体の種々の領域が脳の観点からどのようにして見られるかを理解することは、種々の領域がどの程度濃密に脳によって刺激されるかを理解することを必要とし得る。
【０００３】
「ホムンクルス（ｈｏｍｕｎｃｕｌｕｓ）」という用語は、一般的には、小さな又はミニチュアの人間の任意の表現を意味するために使用される。例えば、ホムンクルスは、３次元の物理モデル、２次元の画像、３次元のコンピュータで支援される設計モデル、又は何らかの他のタイプの表現の形態をとり得る。皮質ホムンクルス（ｃｏｒｔｉｃａｌ  ｈｏｍｕｎｃｕｌｕｓ）は、典型的なホムンクルスの修正されたバージョンである。皮質ホムンクルスにおいて、人間の体の種々の解剖学的な領域のサイズは、その解剖学的な領域に関連する感覚運動皮質の中の脳組織の量に比例する。このタイプの人間の体の視覚表現は、様々な解剖学的な領域が人間の脳の中のそれらの相対的な重要度の観点でどの程度重み付けられるかの理解を提供する。
【０００４】
ある状況において、種々の解剖学的な領域に対して指定された感覚運動皮質組織の量に関する、人間の体の種々の解剖学的な領域の相対的な関係性の視覚的な表現を提供するこの概念を、他の分野に対して適用することは望ましいかもしれない。それ故、他の可能性のある側面と同様に、自然な感覚で処理及び理解する人間の能力を考慮する方法及び装置を有すること、及びこれらの能力を他の分野に適用することは、望ましいだろう。
【発明の概要】
【０００５】
１つの例示的な実施形態において、装置はトランスフォーマーを備える。トランスフォーマーは、存在物を表す存在物の感覚表現を受信する。存在物の感覚表現は、存在物の部分である複数のアイテムを表す、複数の感覚表現を含む。複数のアイテムの各々は、一組の測定可能な関心要因に対する一組の値に関連する。トランスフォーマーは、複数のアイテムの各々に関連する一組の値に基づいて、複数の感覚表現の各々に対する一組の倍率を計算する。トランスフォーマーは、一組の倍率を使用して複数の感覚表現を修正することにより、複数の修正された感覚表現を生成する。複数の修正された感覚表現は、一組の測定可能な関心要因に関する複数の修正された感覚表現によって表される複数のアイテム間の相対的な関係性を規定する。
【０００６】
別の例示的な実施形態において、存在物を表す存在物の感覚表現を修正するためのコンピュータで実施される方法が、提供される。存在物を表す存在物の感覚表現が、受信される。存在物の感覚表現は、存在物の部分である複数のアイテムを表す複数の感覚表現を含む。複数のアイテムの各々は、一組の測定可能な関心要因に対する一組の値に関連する。複数のアイテムの各々に関連する一組の値に基づいて、複数の感覚表現の各々に対する一組の倍率が計算される。複数の感覚表現は、一組の倍率を使用して修正され、これにより複数の修正された感覚表現が生成される。複数の修正された感覚表現は、一組の測定可能な関心要因に関する複数の修正された感覚表現によって表される複数のアイテム間の相対的な関係性を規定する。
【０００７】
更に別の例示的な実施形態において、存在物の画像を、変換された存在物の画像へと変換することを自動化するためのコンピュータで実施される方法が、提供される。存在物を表す存在物の画像が、受信される。存在物の画像は、存在物の部分である複数のアイテムを表す、複数の画像部分を含む。一組の測定可能な関心要因の一組の値が、複数のアイテムの各々に対して特定される。複数のアイテムの各々に関連する一組の値に基づいて、複数の画像部分の各々に対する一組の倍率が計算される。複数の画像部分が、複数の画像部分の各々に対して特定された一組の倍率を使用して修正されることにより、複数の修正された画像部分が生成される。複数の修正された画像部分の位置が、全ディスプレイ領域に対して相互に調整され、変換された存在物の画像が生成される。変換された存在物の画像は、一組の測定可能な関心要因に関する複数の修正された画像部分によって表される複数のアイテム間の相対的な関係性を視覚的に規定する。
【０００８】
これらの特徴及び機能は、本開示の様々な実施形態で独立に実現することが可能であるか、以下の説明及び図面を参照してさらなる詳細が理解され得る、更に別の実施形態で組み合わせることが可能である。
【０００９】
例示的な実施形態の特徴と考えられる新規の機能は、添付の特許請求の範囲に明記される。しかしながら、例示的な実施形態と、好ましい使用モードと、更にはその目的及び特徴とは、添付図面を参照して本開示の例示的な実施形態の後述の詳細な説明を読むことにより最もよく理解されるであろう。
【図面の簡単な説明】
【００１０】
【図１】例示的な一実施形態による、ブロック図の形態での、トランスフォーマーの図である。
【図２】例示的な一実施形態による、ブロック図の形態での、一組の存在物及び一組の存在物の感覚表現の図である。
【図３】例示的な一実施形態による、航空機を視覚的に表す航空機画像のディスプレイの図である。
【図４】例示的な一実施形態による、航空機画像の画像部分に対するディスプレイ領域の図である。
【図５】例示的な一実施形態による、航空機の種々の航空機セクションのエネルギーの使用を示す表の図である。
【図６】例示的な一実施形態による、変換された航空機画像のディスプレイの図である。
【図７】例示的な一実施形態による、ソーシャルネットワーキンググループを表すピクチャークラウド（ｐｉｃｔｕｒｅ  ｃｌｏｕｄ）のディスプレイの図である。
【図８】例示的な一実施形態による、ソーシャルネットワーキンググループのメンバーのソーシャルネットワーキングアクティビティーを示す表の図である。
【図９】例示的な一実施形態による、変換されたピクチャークラウドのディスプレイの図である。
【図１０】例示的な一実施形態による、警報システムを表す録音グループの図である。
【図１１】例示的な一実施形態による、警報システムにおける警報のための脅威レベルを示す表の図である。
【図１２】例示的な一実施形態による、変換された録音グループの図である。
【図１３】例示的な一実施形態による、製造指示命令を表す録音の図である。
【図１４】例示的な一実施形態による、製造作業を実行するための種々のステップの重要性を示す表の図である。
【図１５】例示的な一実施形態による、変換された録音の図である。
【図１６】例示的な一実施形態による、流れ図の形態での、存在物を表す存在物の感覚表現を修正するためのプロセスの図である。
【図１７】例示的な一実施形態による、流れ図の形態での、存在物の感覚表現を生成するためのプロセスの図である。
【図１８】例示的な一実施形態による、流れ図の形態での、存在物の感覚表現を生成する複数の感覚表現の各々に対する一組の倍率を計算するためのプロセスの図である。
【図１９】例示的な一実施形態による、流れ図の形態での、変換された存在物の感覚表現を生成するためのプロセスの図である。
【図２０Ａ】例示的な一実施形態による、流れ図の形態での、変換された存在物の画像を生成するためのプロセスの図である。
【図２０Ｂ】例示的な一実施形態による、流れ図の形態での、変換された存在物の画像を生成するためのプロセスの図である。
【図２１】例示的な一実施形態による、流れ図の形態での、変換された存在物の感覚表現を生成するためのプロセスの図である。
【図２２】例示的な一実施形態による、ブロック図の形態での、データ処理システムの図である。
【発明を実施するための形態】
【００１１】
例示的な実施形態は、種々の検討事項を認識して考慮に入れている。例えば、例示的な実施形態は、脳の中のそれらの相対的な重要度に関する人間の体の種々の解剖学的な領域の間の相対的な関係性を視覚的に表す概念を、他の分野に適用することが望ましいかもしれないと、認識して考慮に入れている。特に、何らかの関心要因に関する複数のアイテム間の相対的な重要度を提供する感覚的な表現を生成する一般的な概念は、航空宇宙産業、企業経営、緊急警報システム、トレーニングプログラム、及び他の任意の数の分野又は用途に適用され得る。
【００１２】
例示的な実施形態はまた、２以上の関心要因に基づいて、存在物の視覚的な表現を変換することが望ましいかもしれないと、認識して考慮に入れている。更に、例示的な実施形態は、視覚以外の他の何らかの感覚に対応する感覚表現を変換することが望ましいかもしれないと、認識して考慮に入れている。例えば、録音の種々のセクションのデシベルレベルが、録音の種々のセクション間の相対的な重要性を反映するように調整されるように、録音を変換することは望ましいかもしれない。
【００１３】
また、例示的な実施形態は、感覚表現が変換されるプロセスを自動化するためにコンピュータシステムを使用することが、変換に関連する時間、費用、及び労力を低減し得ることを認識して考慮に入れている。例えば、種々の関心要因に対応する複数の変換された視覚的な表現を生成するために、同じ視覚的な表現が複数回変換され得るように、変換プロセスを自動化することは望ましいかもしれない。このタイプのプロセスを自動化することは、変換された視覚的な表現の各々を手書きすること、及び視覚的な表現の各々の変換に対して必要とされる修正を手で計算することと比較して、これらの変換された視覚的な表現を生成するために必要とされる、時間、費用、及び労力を著しく低減し得る。
【００１４】
それ故、例示的な実施形態は、５つの人間の感覚の少なくとも１つを使用して存在物を表す存在物の感覚表現を修正するための方法及び装置を提供する。特に、存在物の感覚表現は、存在物を作り上げる複数のアイテムを表す複数の感覚表現から成り得る。存在物の感覚表現は、一組の測定可能な関心要因に関する存在物の感覚表現によって表される複数のアイテム間の相対的な関係性を規定する、変換された感覚表現を生成するために修正され得る。
【００１５】
例えば、変換された存在物の感覚表現は、容易に理解され得るように、複数のアイテムの相対的な重要度を規定し得る。変換された存在物の感覚表現が変換された存在物の画像である場合、変換された存在物の画像は、一目で容易に認識され得るように、複数のアイテムの相対的な重要度を提供し得る。ある場合において、変換された存在物の画像は、複数のアイテムの相対的な重要度の「スナップショットアンダースタンディング（ｓｎａｐｓｈｏｔ  ｕｎｄｅｒｓｔａｎｄｉｎｇ、即時の概要理解）」を提供するとみなされ得る。変換された存在物の感覚表現が他の何らかの感覚出力の形態である場合、人間は、単純な知覚的入力として感覚出力を受信し得、その近く的入力は、素早い、ある場合においてはほぼ瞬間的な、複数のアイテムの相対的な重要度の理解を提供する。
【００１６】
ここで図面を参照し、特に、図１を参照すると、例示的な一実施形態による、ブロック図の形態で、トランスフォーマーの図が描かれている。この例示的な実施例において、トランスフォーマー１００は、ソフトウェア、ハードウェア、ファームウェア、又はこれらの組み合わせを使用して実装することができる。
【００１７】
ソフトウェアが使用される場合、トランスフォーマー１００によって実行される動作は、例えば、非限定的に、プロセッサユニットで動作するように設定されたプログラムコードを使用して実装され得る。ファームウェアが使用される場合、トランスフォーマー１００によって実行される作業は、例えば、非限定的に、プロセッサユニットで動作するように固定記憶域に保存されたプログラムコードとデータとを使用して実装され得る。
【００１８】
ハードウェアが採用される場合には、ハードウェアは、トランスフォーマー１００によって実行される動作を実行するように作動する１以上の回路を含むことができる。実装によっては、ハードウェアは、回路システム、集積回路、特定用途向け集積回路（ＡＳＩＣ）、プログラマブル論理デバイス、又は任意の数の動作を実行するよう構成された、他の何らかの適切なタイプのハードウェアデバイスの形態をとり得る。
【００１９】
プログラマブル論理デバイスは、特定の動作を実行するように設定することができる。このデバイスは、これらの動作を実行するように恒久的に設定してもよいし設定可能であってもよい。プログラマブル論理デバイスは、例えば、限定しないが、プログラマブル論理アレイ、プログラマブルアレイロジック、フィールドプログラマブルロジックアレイ、フィールドプログラマブルゲートアレイ、又は他の何らかのタイプのプログラマブルハードウェアデバイスの形態をとり得る。
【００２０】
ある例示的な実施例において、トランスフォーマー１００によって実行される動作及びプロセスを、無機構成要素と一体化した有機構成要素を使用して、実行することができる。ある場合において、完全に人間以外の有機構成要素で動作及びプロセスを実施することができる。例示的な一実施例として、有機半導体の回路を使用して、これらの動作及びプロセスを実行することができる。
【００２１】
図１において描かれているように、トランスフォーマー１００は、例示的な一実施例においてコンピュータシステム１０６を使用して実装され得る。コンピュータシステム１０６は、互いに通信する１以上のコンピュータを含み得る。
【００２２】
トランスフォーマー１００は、存在物の感覚表現１０２を、変換された存在物の感覚表現１０４へと変換し得る。本明細書の中において使用されるように、「感覚表現」は、５つの人間の感覚の少なくとも１つを使用して人によって理解され得る表現である。これらの５つの感覚は、視覚１１４、聴覚１１６、臭覚１１８、触覚１２０、及び味覚１２２を含む。
【００２３】
視覚１１４に対応する感覚表現は、視覚的な表現と呼ばれ得る。例えば、非限定的に、視覚的な表現は、画像、３次元物理モデル、英数字のテキスト、アイコン、又は他のタイプの視覚的な表現の形態をとり得る。
【００２４】
聴覚１１６に対応する感覚表現は、聴覚的な表現と呼ばれ得る。例えば、非限定的に、聴覚的な表現は、録音、音、音楽、又は他の何らかのタイプの聴覚的な表現の形態をとり得る。
【００２５】
更に、臭覚１１８に対応する感覚表現は、臭覚的な表現と呼ばれ得る。触覚１２０に対応する感覚表現は、触覚的な表現と呼ばれ得る。例えば、非限定的に、触覚的な表現は、質感、温度、又は他の何らかのタイプの接触を通じて認識され得る表現の形態をとり得る。味覚１２２に対応する感覚表現は、味覚的な表現と呼ばれ得る。
【００２６】
存在物の感覚表現１０２は、存在物１０８を表す。本明細書の中において使用されるように、存在物の感覚表現は、存在物１０８を象徴化すること、その意味を提示すること、その解釈を提示すること、それを代行すること、それの等価物となること、それの例として働くこと、又はそれの他の何らかのタイプの表示を提供することによって、存在物１０８を「表し」得る。
【００２７】
存在物１０８は、複数のアイテム１１０によってその全体が生成される。存在物１０８は、多数の種々の形態を取り得る。例えば、存在物１０８は、複数のアイテム１１０から成る体、群、集合、又は他の何らかのタイプの「全体」の形態をとり得る。本明細書の中において使用されるように、「アイテム」は、部品、物体若しくは構造体の部分、人、人の群、時間間隔、警報、安全性レベル、建物、建物の床、ショップの床領域のセクション、タイトル、従業員数、社会保険番号、電話番号、航空機の構成要素、電子機器の構成要素、ハードウェアの構成要素、ソフトウェアの構成要素、又は他の何らかのタイプのアイテムの形態をとり得る。
【００２８】
描かれているように、存在物の感覚表現１０２は、複数のアイテム１１０を表す複数の感覚表現１１２を含む。これらの例示的な実施例において、複数の感覚表現１１２は、個別の感覚表現であり得、これらは存在物の感覚表現１０２として集合的に呼ばれる。他の例示的な実施例において、複数の感覚表現１１２は、単一の存在物の感覚表現１０２の部分であり得る。これらの存在物に対応する種々のタイプの存在物及び存在物の感覚表現の例は、以下の図２において説明される。
【００２９】
一組の測定可能な関心要因１２４は、複数のアイテム１１０を評価し、又は解析するために使用され得る。本明細書の中において使用されるように、１「組」のアイテムは、１以上のアイテムを含み得る。例えば、一組の測定可能な関心要因１２４は、１以上の測定可能な関心要因を含み得る。
【００３０】
測定可能な関心要因１２６は、一組の測定可能な関心要因１２４の１つの例である。測定可能な関心要因１２６は、属性、パラメータ、特性、又は他のタイプの定量的に、定性的に、又はその両方において測定され得る他のタイプのファクターであり得る。例えば、測定可能な関心要因１２６は、重要性レベル、給料額、活動レベル、エネルギーの使用、表面積、強度、大きさ、フェーズ、価格、物理的寸法（幅、長さ、若しくは高さなど）、又は何らかの値の範囲を有する値を有するものとして測定され得る他の何らかのタイプのファクターであり得るが、それらに限定されるものではない。
【００３１】
アイテム１２７は、複数のアイテム１１０の１つの例であり得る。測定可能な関心要因１２６に関して、アイテム１２７は値１２８を有し得る。値１２８は、額面価格、数値、値の範囲、レベル、カテゴリー、色、物理量、量の測定値、又は他の何らかのタイプの定性的若しくは定量的測定値であり得る。他の例示的な実施例において、値１２８は、可聴音、可聴周波数、匂い、匂いの強さ、質感、質感の粗さ、味覚、又は塩気若しくは甘さなどの味覚の質であり得る。
【００３２】
例えば、測定可能な関心要因１２６は、長さであり得、かつアイテム１２７は、約１０インチの長さに対する値を有する構造体であり得る。別の例において、測定可能な関心要因１２６は、給料額であり得、かつアイテム１２７は、約１０万ドルの給料額という価値を有する従業員であり得る。更に別の実施例において、測定可能な関心要因１２６は、エネルギーの使用であり得、かつアイテム１２７は、非常に低レベル、低レベル、通常レベル、高レベル、又は非常に高レベルのうちの１つと等しいエネルギーの使用という値を有する航空エンジンであり得る。
【００３３】
複数のアイテム１１０の各々は、一組の測定可能な関心要因１２４に対して、上述の値１２８と類似の一組の値に関連し得る。例えば、アイテム１２７は、一組の測定可能な関心要因１２４に対する一組の値１３０に関連し得る。これらの例示的な実施例において、トランスフォーマー１００は、複数のアイテム１１０の各々に対して、一組の測定可能な関心要因１２４に対する一組の値１３０を含む、入力を受信し得る。他の例示的な実施例において、トランスフォーマー１００は、トランスフォーマー１００によって受信された入力データに基づいて、複数のアイテム１１０の各々に対して、一組の測定可能な関心要因１２４に対する一組の値１３０を特定するように設定され得る。
【００３４】
トランスフォーマー１００は、一組の測定可能な関心要因１２４に関する複数の感覚表現１１２によって表された複数のアイテム１１０間の相対的な関係性を規定するように、複数の感覚表現１１２を修正するように設定されている。具体的には、トランスフォーマー１００は、複数のアイテム１１０の各々と関連する一組の値に基づいて、複数の感覚表現１１２の各々に対する一組の倍率を計算し得る。一組の倍率は、複数の感覚表現１１２の各々に対する一組のパラメータを調整して複数の修正された感覚表現１３２を生成するために使用され得る。複数の修正された感覚表現１３２は共同で、変換された存在物の感覚表現１０４をなす。
【００３５】
このようにして、存在物の感覚表現１０２は、複数の感覚表現１１２の各々に対する種々の組の倍率を使用して、ホムンクルス的に変換されて、変換された存在物の感覚表現１０４を形成し得る。言い換えると、存在物の感覚表現１０２は、皮質ホムンクルスが生成されるやり方と同様なやり方において、変換され得る。変換された存在物の感覚表現１０４は、ホムンクルス化された存在物の感覚表現と呼ばれ得る。
【００３６】
例えば、感覚表現１３４は、複数の感覚表現１１２の１つであり得、かつアイテム１２７を表し得る。感覚表現１３４は、一組のパラメータ１３６に関連し得る。一組のパラメータ１３６の中のパラメータは、多数の種々の形態をとり得る。例えば、パラメータは、幅、高さ、中心点、中心点距離、透明度の値、コントラスト値、デシベルレベル、速度、ピッチ、帯域幅、開始時間、終了時間、トータル時間、質感、厚さ、辛さのレベル、甘さのレベル、又は他の何らかのタイプのパラメータであり得る。
【００３７】
一組のパラメータ１３６の各々は、拡大縮小可能であり得る。具体的には、一組のパラメータ１３６の各々は、線形倍率、非線形倍率、又はその両方を使用して拡大縮小が可能であり得る。例えば、非限定的に、非線形倍率は、指数ファクター、対数倍率、又は他の何らかのタイプの非線形倍率であり得る。このやり方において、一組のパラメータ１３６は、一組の拡大縮小可能パラメータと呼ばれ得る。
【００３８】
トランスフォーマー１００は、感覚表現１３４によって表されるアイテム１２７に対する一組の測定可能な関心要因に対する一組の値１３０に基づいて、感覚表現１３４に対する一組の倍率１３８を計算する。トランスフォーマー１００は、一組の倍率１３８を使用して、感覚表現１３４に対する一組のパラメータ１３６を調整し、修正された感覚表現１４０を生成する。一組の倍率１３８によっては、修正された感覚表現１４０は、感覚表現１３４と同じこともあるし異なっていることもある。
【００３９】
例示的な一実施例において、一組の倍率１３８は、一組のパラメータ１３６と１対１の対応関係を有し得る。例えば、トランスフォーマー１００は、一組の倍率１３８の中の対応する倍率によって、一組のパラメータ１３６の中の各々のパラメータを線形に拡大縮小し得る。他の例示的な実施例において、一組の倍率１３８は、一組のパラメータ１３６の各々を線形に拡大縮小するために使用される、単一の倍率を含み得る。
【００４０】
トランスフォーマー１００は、一組の倍率１３８を使用して、一組のパラメータ１３６を調整して、拡大縮小された一組のパラメータ１４１を生成する。その後、トランスフォーマー１００は、拡大縮小された一組のパラメータ１４１を使用し、修正された感覚表現１４０を生成し得る。
【００４１】
例示的な一実施例において、存在物の感覚表現１０２は、存在物の画像１４２の形態をとり得る。例えば、非限定的に、存在物の画像１４２は、航空機の画像、宇宙船の画像、船舶の画像、エンジンシステムの画像、又は他の何らかのタイプの存在物の画像の形態をとり得る。ある例示的な実施例において、存在物の画像１４２は、複数の画像からなる組み合わされた画像、又は画像部分に分割され得る単一の画像であり得る。存在物の画像１４２は、存在物１０８を表し得る。
【００４２】
存在物の感覚表現１０２が、存在物の画像１４２の形態をとる場合、複数の感覚表現１１２は、複数の画像部分１４４の形態をとり得る。複数の画像部分１４４の各々は、存在物の画像１４２の一部分の形態をとってもよいし、存在物の画像１４２を生成するために使用される個別の画像の形態をとってもよい。更に、複数の画像部分１４４の各々は、複数のアイテム１１０の中の対応するアイテムを表し得る。
【００４３】
複数の画像部分１４４の中の各々の画像部分に対する一組のパラメータ１３６は、例えば、各々の画像部分に対する一組の寸法の形態をとり得る。例えば、画像部分に対する一組の寸法は、画像部分に対する幅及び高さを含み得る。
【００４４】
トランスフォーマー１００は、各々の画像部分によって表される複数のアイテム１１０の中の対応するアイテムに関連する一組の測定可能な関心要因１２４に対する一組の値に基づいて、複数の画像部分１４４の中の各々の画像部分に対する一組の倍率を計算する。その後、トランスフォーマー１００は、これらの組の倍率を使用して、複数の画像部分１４４の各々に対する一組のパラメータを調整し、拡大縮小された複数の組のパラメータを生成する。その後、これらの拡大縮小された複数の組のパラメータは、複数の修正された画像部分１４６を生成するために使用され得る。複数の修正された画像部分１４６は、複数の修正された感覚表現１３２の実施例であり得る。
【００４５】
複数の修正された画像部分１４６は、変換された存在物の画像１４８を生成し得る。複数の修正された画像部分１４６を有する変換された存在物の画像１４８は、一組の測定可能な関心要因１２４に関する複数の修正された画像部分１４６によって表される複数のアイテム１１０間の相対的な関係性を視覚的に規定し得る。複数の修正された画像部分１４６を有する変換された存在物の画像１４８は、一組の測定可能な関心要因１２４に関する複数のアイテム１１０間の相対的な関係性の、「スナップショットアンダースタンディング（ｓｎａｐｓｈｏｔ  ｕｎｄｅｒｓｔａｎｄｉｎｇ）」すなわち一目での理解を提供し得る。
【００４６】
これらの例示的な実施例において、トランスフォーマー１００は、出力デバイス１５０に対して変換された存在物の感覚表現１０４を送り得る。出力デバイス１５０は、人間の５つの感覚の少なくとも１つを使用して理解され得るように、変換された存在物の感覚表現１０４を出力し得る。
【００４７】
例えば、変換された存在物の感覚表現１０４が、変換された視覚的な表現である場合、出力デバイス１５０は、ディスプレイデバイス１５２の形態をとり得る。ディスプレイデバイス１５２は、変換された視覚的な表現のディスプレイを視覚的に提示し得る。特に、変換された存在物の感覚表現１０４が、変換された存在物の画像１４８の形態をとる場合、ディスプレイデバイス１５２は、変換された存在物の画像１４８のディスプレイを視覚的に提示するために使用され得る。ディスプレイデバイス１５２は、モニター、スクリーン、液晶ディスプレイデバイス、プラズマディスプレイデバイス、タッチスクリーンデバイス、プロジェクションシステム、又は他の何らかのタイプのディスプレイデバイスの形態をとり得る。
【００４８】
このように、トランスフォーマー１００は、存在物１０８の存在物の感覚表現１０２が、存在物１０８を作り上げる複数のアイテム１１０に対する一組の測定可能な関心要因１２４の相対的測定を反映するように、変換されることを可能にする。このタイプの変換された存在物の感覚表現１０４は、ユーザに、複数のアイテム１１０に対して特定される複数組の値に頼る必要なしに、一組の測定可能な関心要因１２４に関する複数のアイテム１１０間の相対的な関係性を素早く、かつ容易に理解する方法を提供し得る。
【００４９】
このタイプの理解は、複数のアイテムに対する複数の組の値を理解し、又は処理する訓練を受けていないユーザに対して好適であり得る。例えば、ユーザは、一種の動作を実行するために、何らかの測定可能な関心要因に関する複数のアイテム１１０の各々の相対的な重要度を理解する必要があり得る。しかしながら、ユーザは、複数のアイテム１１０の各々に対する測定可能な関心要因の値を特定するために、データを理解し、解釈し、又は処理する、訓練、知識、又は技術を有していないかもしれない。変換された存在物の感覚表現１０４は、ユーザに、ユーザがデータを理解し、解釈し、又は処理する必要なしに、複数のアイテム１１０の各々の相対的な重要度を提供し得る。
【００５０】
更に、コンピュータシステム１０６などのコンピュータシステム内において、このタイプの評価又は解析を実施することは、処理が自動化されることを可能にする。例えば、新しい変換された存在物の感覚表現は、トランスフォーマー１００が、複数のアイテム１１０の少なくとも１つに対する一組の測定可能な関心要因１２４に対する新しい一組の値を含む新しい入力を受信すると、素早く、かつ容易にトランスフォーマー１００によって生成され得る。
【００５１】
更に、トランスフォーマー１００は、種々の組の測定可能な関心要因に対する、新しい変換された存在物の感覚表現を素早く、かつ容易に生成することができる。このやり方において、存在物の感覚表現１０２は、任意の数のやり方及び任意の数の回数で、存在物の感覚表現のベースラインから変換され得る。このベースラインは、存在物の感覚表現１０２を作り上げる複数の感覚表現の各々に対する一組のパラメータに対する最初すなわち元々の値であり得る。
【００５２】
実装に応じて、複数のアイテム１１０に対する一組の測定可能な関心要因１２４に対する複数の組の値は、静的であり得るし、動的であり得る。複数の組の値が動的である場合、トランスフォーマー１００は、ある場合において、複数の組の値に対する変化に対応して複数の感覚表現１１２に対して計算された複数の組の倍率をアップデートするように設定され得る。更に、トランスフォーマー１００は、複数組の倍率に対するアップデートに対応して変換された存在物の感覚表現１０４をアップデートし得る。このようにして、複数のアイテム１１０の間で変化する相対的な関係性は、実質的にリアルタイムで、すなわちほぼリアルタイムで反映され得る。
【００５３】
例示的な一実施例として、トランスフォーマー１００は、複数のアイテム１１０に対する一組の測定可能な関心要因１２４をモニターするように設定された１以上のセンサシステムによって生成されたセンサデータの中の複数のアイテム１１０に対する複数の組の値を取得し得る。センサデータは時間をかけて連続的に受信され得るという点で、複数の組の値は動的であり得る。トランスフォーマー１００は、複数の組の値が変化する際に、複数の感覚表現１１２に対する複数の組の倍率を調整して複数の修正された感覚表現１３２をアップデートし得る。コンピュータシステム１０６は、これらの調整及びアップデートが、実質的にリアルタイムで実行されることを可能にし得る。
【００５４】
今度は図２を参照すると、例示的な一実施形態によるブロック図の形態で一組の存在物及び一組の存在物の感覚表現の図が描かれている。一組の存在物２００及び一組の存在物の感覚表現２０２が、描かれている。
【００５５】
一組の存在物２００は、航空機２０４、企業経営チーム２０６、製造指示命令２０８、及び警報システム２１０を含む。航空機２０４、企業経営チーム２０６、製造指示命令２０８、及び警報システム２１０の各々は、図１の存在物１０８の一実施態様の例である。
【００５６】
航空機２０４は、複数の航空機セクション２１２から成る。企業経営チーム２０６は、複数の従業員２１４から成る。製造指示命令２０８は、複数のステップ２１６から成る。警報システム２１０は、複数の警報２１８から成る。複数の航空機セクション２１２、複数の従業員２１４、複数のステップ２１６、及び複数の警報２１８の各々は、図１の複数のアイテム１１０の一実施態様の例である。
【００５７】
描かれているように、一組の存在物の感覚表現２０２は、航空機の画像２２０、ピクチャークラウド２２２、録音２２４、及び録音グループ２２６を含む。航空機の画像２２０、ピクチャークラウド２２２、録音２２４、及び録音グループ２２６の各々は、図１の存在物の感覚表現１０２の一実施態様の例である。航空機の画像２２０、ピクチャークラウド２２２、録音２２４、及び録音グループ２２６は、航空機２０４、企業経営チーム２０６、製造指示命令２０８、及び警報システム２１０のそれぞれの感覚表現である。
【００５８】
この例示的な実施例において、航空機の画像２２０は、複数の画像部分２２８から成り得る。ピクチャークラウド２２２は、複数の従業員のピクチャー２３０から成り得る。更に、録音２２４は、複数の音声セクション２３２から成り得る。録音グループ２２６は、複数の録音２３４から成り得る。
【００５９】
複数の画像部分２２８、複数の従業員のピクチャー２３０、複数の音声セクション２３２、及び複数の録音２３４の各々は、図１の複数の感覚表現１１２の一実施態様の例であり得る。更に、複数の画像部分２２８、複数の従業員のピクチャー２３０、複数の音声セクション２３２、及び複数の録音２３４は、複数の航空機セクション２１２、複数の従業員２１４、複数のステップ２１６、及び複数の警報２１８をそれぞれ表す。
【００６０】
この例示的な実施例において、複数の画像部分２２８の各々に対して拡大縮小可能な一組のパラメータは、一組の寸法２３６であり得る。例示的な一実施例において、一組の寸法２３６は、画像部分の幅及び高さを含む。複数の従業員のピクチャー２３０の各々に対する拡大縮小可能な一組のパラメータは、一組の寸法２３８であり得る。
【００６１】
描かれているように、複数の音声セクション２３２の各々は、単一の拡大縮小可能なパラメータを有し得、それはデシベルレベル２４０である。同様に、複数の録音２３４の各々は、単一の拡大縮小可能なパラメータを有し得、それはデシベルレベル２４２である。
【００６２】
視覚及び聴覚に対応する感覚表現のみが、一組の存在物の感覚表現２０２の中で描かれているが、一組の存在物の感覚表現２０２は、他の例示的な実施例では他のタイプの感覚表現を含み得る。例えば、他の存在物の感覚表現は、触知性、臭覚性、又は味覚性であり得る。更に他の例示的な実施例において、存在物の感覚表現は、人間の２以上の感覚に対応し得る。
【００６３】
図１のトランスフォーマー１００、並びに図２の一組の存在物２００及び一組の存在物の感覚表現２０２の図解は、例示的な実施形態が実装され得るやり方に対する物理的又は構造的な限定を意味するものではない。図示した構成要素に加えて又は代えて、他の構成要素を使用できる。幾つかの構成要素は、オプションのものであり得る。また、ブロックは、幾つかの機能的な構成要素を示すために提示されている。例示的な一実施形態において実装される場合、これらのブロックの１以上を、種々のブロックに統合、分割、又は統合かつ分割することができる。
【００６４】
ある場合において、トランスフォーマー１００は、これらのパラメータを調整するのに先立って、複数の感覚表現１１２の各々に対する一組のパラメータを正規化し得る。例えば、一組のパラメータ１３６は正規化されて、正規化された一組のパラメータ１５４を生成し得る。その後、正規化された一組のパラメータ１５４は、一組の倍率１３８を使用して調整されて、拡大縮小された一組のパラメータ１４１を形成し得る。
【００６５】
他の例示的な実施例において、一組の存在物２００は、他のタイプの存在物を含み得る。例えば、一組の存在物２００は、宇宙船、建物、企業インフラ、財政ポートフォリオ、安全マニュアル、又は他の何らかのタイプの存在物を含み得る。
【００６６】
今度は図３を参照すると、例示的な一実施形態による、航空機を視覚的に表す航空機の画像のディスプレイの図が描かれている。この例示的な実施例において、航空機の画像３０１のディスプレイ３００は、例えば、非限定的に、図１のディスプレイデバイス１５２などのディスプレイデバイスによって、視覚的に提示され得る。具体的には、航空機の画像３０１は、変換された存在物の画像１４８の一実施態様の例である。
【００６７】
ディスプレイ３００の中の航空機の画像３０１は、航空機の視覚的な表現である。航空機は、図１の存在物１０８などの存在物の実施例である。
【００６８】
描かれているように、航空機の画像３０１は、複数の画像部分３０３から成り得る。複数の画像部分３０３は、胴体部３０２、コックピット部３０４、尾部３０６、ラダー部３０７、右翼部３０８、左翼部３１０、右エルロン部３１２、左エルロン部３１４、右エンジン部３１６、及び左エンジン部３１８を含む。複数の画像部分３０３は、種々の航空機のセクション、すなわち関心がもたれている航空機の航空機領域を表している。
【００６９】
この例示的な実施例において、ディスプレイ３００の全ディスプレイ領域は、ディスプレイ３００の上境界３２０、左境界３２２、下境界３２４、及び右境界３２６を特定することによって画定され得る。ディスプレイ３００の境界を特定することは、これらの境界によって形成される４つの角の座標が特定されることを可能にする。具体的には、各々の角のｘ、ｙ座標が特定され得る。特に、第１の角３２８、第２の角３３０、第３の角３３２、及び第４の角３３４に対する座標が特定され得る。これらの角の座標を用いて、中心点３３６のｘ、ｙ座標がまた、特定され得る。中心点３３６は、ディスプレイ３００のｘ、ｙ中心である。
【００７０】
幾つかの例示的な実施例において、ディスプレイ３００の全ディスプレイ領域はまた、３次元であり得、３次元の境界を有し得る。このやり方において、中心点３３６は、ｘ、ｙ、ｚ座標などの３次元座標を含み得る。他の例示的な実施例において、他の感覚が使用される場合、出力デバイスの全出力領域は、ｎ次元であり得、ｎ次元の境界を有し得る。したがって、この全出力領域の中心点は、ｎ次元座標を含み得る。
【００７１】
これらの情報の全ては、航空機の画像３０１の複数の画像部分３０３に対応するディスプレイ３００内の複数のディスプレイ領域を画定するために使用され得る。これらのディスプレイ領域は、以下の図４の中において概説される。
【００７２】
今度は図４を参照すると、例示的な一実施形態による、図３の航空機の画像３０１の画像部分に対するディスプレイ領域の図が描かれている。この例示的な実施例において、複数のディスプレイ領域４００が、ディスプレイ３００内で画定されている。
【００７３】
描かれているように、複数のディスプレイ領域４００は、胴体ディスプレイ領域４０２、コックピットディスプレイ領域４０４、尾部ディスプレイ領域４０６、ラダーディスプレイ領域４０７、右翼ディスプレイ領域４０８、左翼ディスプレイ領域４１０、右エルロンディスプレイ領域４１２、左エルロンディスプレイ領域４１４、右エンジンディスプレイ領域４１６、及び左エンジンディスプレイ領域４１８を含む。胴体ディスプレイ領域４０２、コックピットディスプレイ領域４０４、尾部ディスプレイ領域４０６、ラダーディスプレイ領域４０７、右翼ディスプレイ領域４０８、左翼ディスプレイ領域４１０、右エルロンディスプレイ領域４１２、左エルロンディスプレイ領域４１４、右エンジンディスプレイ領域４１６、及び左エンジンディスプレイ領域４１８は、胴体部３０２、コックピット部３０４、尾部３０６、ラダー部３０７、右翼部３０８、左翼部３１０、右エルロン部３１２、左エルロン部３１４、右エンジン部３１６、及び左エンジン部３１８をそれぞれ含む。
【００７４】
例示的な一実施例において、特定されたディスプレイ領域の各々に対して、座標が特定され得る。例えば、非限定的に、最も左のｘ座標、最も右のｘ座標、最も上のｙ座標、及び最も下のｙ座標は、ディスプレイ領域の各々に対して特定され得る。これらの座標は、ディスプレイ領域の各々に対する幅及び高さを規定するために使用され得る。
【００７５】
その後、ディスプレイ領域の各々に対する基準中心点が、座標、幅及び高さ、又はそれらの両方を使用して特定され得る。例えば、コックピット中心点４２０が、コックピットディスプレイ領域４０４に対して特定され得る。その後、ディスプレイ領域の各々に対して特定された基準中心点から中心点３３６への距離が特定される。
【００７６】
今度は図５を参照すると、例示的な一実施形態による、航空機の種々の航空機セクションのエネルギーの使用を示す表の図が、描かれている。表５００は、列５０２、列５０３、及び列５０４を有する。
【００７７】
列５０２は、図３及び図４の航空機の画像３０１によって表される航空機の種々の航空機セクションを示している。列５０３は、航空機セクションの各々に対するエネルギーの使用を示している。この例示的な実施例において、エネルギーの使用は、図１の測定可能な関心要因１２６などの、測定可能な関心要因の実施例である。列５０４は、列５０２において示された航空機セクションに対応する画像部分に対して計算され得る、倍率を示している。
【００７８】
行５０６は、航空機の胴体が、低い値のエネルギーの使用を有することを示している。行５０６は更に、図３及び図４の航空機の画像３０１の胴体部３０２に対して使用される対応する倍率が１であることを示している。
【００７９】
行５０８は、航空機のコックピットが、高い値のエネルギーの使用を有することを示している。行５０８は更に、図３及び図４の航空機の画像３０１のコックピット部３０４に対して使用される対応する倍率が２であることを示している。
【００８０】
行５１０は、航空機の右エンジンが、非常に高い値のエネルギーの使用を有することを示している。行５１０は更に、図３及び図４の航空機の画像３０１の右エンジン部３１６に対して使用される対応する倍率が３であることを示している。
【００８１】
列５０４において示される倍率は、図３及び図４の航空機の画像３０１の対応する画像部分を修正するために使用され得る。具体的には、これらの倍率は、これらの画像部分に対応するディスプレイ３００のディスプレイ領域をサイズ変更して、画像部分をサイズ変更するために使用され得る。
【００８２】
今度は図６を参照すると、例示的な一実施形態による、変換された航空機の画像のディスプレイの図が描かれている。この例示的な実施例において、図３及び図４の航空機の画像３０１は、ディスプレイ３００内の変換された航空機の画像６００に変換されている。具体的には、図５の表５００の列５０４において示された倍率が、図３及び図４における航空機の画像３０１の画像部分を修正して、変換された航空機の画像６００を生成するために使用された。
【００８３】
変換された航空機の画像６００は、図５の表５００の列５０４において示された倍率に基づいて修正された、複数の修正された画像部分６０１を含む。具体的には、図３の複数の画像部分３０３の各々は、図５の対応する倍率によってサイズが増加されている。
【００８４】
この例示的な実施例において、図４の複数のディスプレイ領域４００の各々の幅及び高さは、対応する修正された画像部分を生成するために、対応する倍率によって線形に拡大縮小され得る。更に、この例示的な実施例において、各々の修正された画像部分は、ディスプレイ３００内で、対応する元々のディスプレイ領域に対する以前に計算された基準中心点に中心合わせされ得る。結果として生じるこのタイプの変換された存在物の画像は、重なっている変換された存在物の画像と呼ばれ得る。
【００８５】
他の例示的な実施例において、新しい修正された画像部分は、ディスプレイ３００内の新しい中心点の辺りに中心が置かれ得る。例えば、元々のディスプレイ領域に対して以前に計算された基準中心点から、ディスプレイ中心点３３６までの距離は、対応する倍率によって拡大縮小され得る。新しい修正された画像部分は、中心点３３６から拡大縮小された距離分離れた新しい中心点に中心が置かれ得る。修正された画像部分の各々に対してこのプロセスを実行することによってもたらされる、このタイプの変換された存在物の画像は、分解組立てされた（ｅｘｐｌｏｄｅｄ）変換された存在物の画像と呼ばれ得る。
【００８６】
ある場合において、このタイプのプロセスは、より大きいディスプレイ領域を必要とする変換された航空機の画像６００をもたらし得る。したがって、変換された航空機の画像６００は、その後、変換された航空機の画像６００が、ディスプレイ３００の元々の全ディスプレイ領域内で表示され得るように、存在物内で調整され得る。具体的には、変換された航空機の画像６００は、ディスプレイ３００の元々の全ディスプレイ領域内にフィットするように、拡大縮小され得る。
【００８７】
複数の修正された画像部分６０１は、修正された胴体部６０２、修正されたコックピット部６０４、修正された尾部６０６、修正されたラダー部６０７、修正された右翼部６０８、修正された左翼部６１０、修正された右エルロン部６１２、修正された左エルロン部６１４、修正された右エンジン部６１６、及び修正された左エンジン部６１８を含む。描かれているように、修正されたコックピット部６０４は、図３のコックピット部３０４よりも大きい。更に、修正された右エンジン部６１６及び修正された左エンジン部６１８は、図３の右エンジン部３１６及び左エンジン部３１８よりもそれぞれ大きい。
【００８８】
修正されたコックピット部６０４、修正された右エンジン部６１６、及び修正された左エンジン部６１８は、変換された航空機の画像６００のうちの他の修正された部分よりも、比例的に大きい。修正されたコックピット部６０４、修正された右エンジン部６１６、及び修正された左エンジン部６１８の比例的に増加されたサイズは、一目で、コックピット、右エンジン、及び左エンジンがそれぞれ、航空機の他の航空機セクションと比較してより多くのエネルギーを使用することの理解を提供する。このようにして、エネルギーの使用に関する複数の修正された画像部分６０１によって表される航空機セクションの相対的な重要度は、変換された航空機の画像６００を使用して、素早く、かつ容易に理解され得る。
【００８９】
今度は図７を参照すると、例示的な一実施形態による、ソーシャルネットワーキンググループを表すピクチャークラウドのディスプレイの図が描かれている。この例示的な実施例において、ピクチャークラウド７００は、図１の存在物の感覚表現１０２の１つの実施態様の例である。特に、ピクチャークラウド７００は、図１の中の存在物の画像１４２の１つの実施態様の例であり得る。
【００９０】
ピクチャークラウド７００は、ソーシャルネットワーキンググループを視覚的に表す。このソーシャルネットワーキンググループは、ソーシャルネットワーキンググループのメンバーが１以上のファクターに基づいてグループ化される、単一のグループであり得る。例示的な一実施例として、ソーシャルネットワーキンググループは、出会い系サイト、一群の買い手、一群の売り手、又は他の何らかのタイプのグループで、サインアップされたメンバーから成り得る。描かれているように、ピクチャークラウド７００は、複数のメンバーのピクチャー７０２を含み、それは、図１の複数の画像部分１４４の１つの実施態様の例であり得る。複数のメンバーのピクチャー７０２は、メンバーのピクチャー７０４、７０６、７０８、７１０、７１２、７１４、７１６、及び７１８を含む。
【００９１】
複数のメンバーのピクチャー７０２は、ソーシャルネットワーキンググループの中の複数のメンバーを表す。複数のメンバーの各々に対する測定可能な関心要因は、各々のメンバーに対するソーシャルネットワーキンググアクティビティーのレべルであり得る。このレベルのソーシャルネットワーキングアクティビティーに対する値は、各々のメンバーによって生成された投稿の数であり得る。
【００９２】
この例示的な実施例において、複数のメンバーのピクチャー７０２の各々は、「ベースライン」であるとみなされ得る。具体的には、複数のメンバーのピクチャー７０２の各々は、同じ幅７２０及び高さ７２２を有する。
【００９３】
今度は図８を参照すると、例示的な一実施形態による、ソーシャルネットワーキンググループ内のソーシャルネットワーキングアクティビティーを示す表の図が描かれている。この例示的な実施例において、表８００は、列８０２、列８０３、及び列８０４を有する。
【００９４】
列８０２は、図７の複数のメンバーのピクチャー７０２によって表されるソーシャルネットワーキンググループの種々のメンバーを示す。列８０３は、各々のメンバーによって生成された投稿の数に基づいて、メンバーの各々のソーシャルネットワーキングアクティビティーを示す。列８０４は、列８０３で示された複数のメンバーのピクチャー７０２によって表されるメンバーのソーシャルネットワーキングアクティビティーの値に基づいて、複数のメンバー７０２の各々に対して計算された倍率を示している。
【００９５】
今度は図９を参照すると、例示的な一実施形態による、変換されたピクチャークラウドのディスプレイの図が描かれている。この例示的な実施例において、図７のピクチャークラウド７００は、図８の列８０４で示された倍率を使用して変換され、変換されたピクチャークラウド９００が形成されている。変換されたピクチャークラウド９００は、図１の変換された存在物の画像１４８の１つの実施態様の例であり得る。
【００９６】
変換されたピクチャークラウド９００は、複数の修正されたメンバーのピクチャー９０２を含む。この例示的な実施例において、図７の複数のメンバーのピクチャー７０２の各々は、列８０４で示された対応する倍率を使用してサイズ変更され、複数の修正されたメンバーのピクチャー９０２が形成されている。複数の修正されたメンバーのピクチャー９０２は、修正されたメンバーのピクチャー９０４、９０６、９０８、９１０、９１２、９１４、９１６、及び９１８を含み、それらは、図７のメンバーのピクチャー７０４、７０６、７０８、７１０、７１２、７１４、７１６、及び７１８のそれぞれの修正されたバージョンである。
【００９７】
ある場合において、変換されたピクチャークラウド９００内の複数の修正されたメンバーのピクチャー９０２の各々の相対的な位置は、変換を実行するために使用された倍率に基づいて決定され得る。例えば、複数の修正されたメンバーのピクチャー９０２は、左から右へ、時計回りに、又は他の何らかのやり方によって、最も大きな倍率から最も小さい倍率へと配置され得る。
【００９８】
今度は図１０を参照すると、例示的な一実施形態による、警報システムを表す録音グループの図が描かれている。この例示的な実施例において、録音グループ１０００は、図１の存在物の感覚表現１０２の１つの実施態様の例である。録音グループ１０００は、警報システムを表し得る。
【００９９】
描かれているように、録音グループ１０００は、警報システムを構成する複数の警報を表す複数の録音１００１を含む。複数の録音１００１は、図１の複数の感覚表現１１２の１つの実施態様の例であり得る。
【０１００】
複数の警報の各々は、セキュリティーシステムによって識別される、建物の中の特定の部屋に対する脅威を示す警報であり得る。これらの警報に対する測定可能な関心要因は、脅威レベルであり得る。脅威レベルに対する値は、非常に低度、低度、中間、深刻、及び非常に深刻のうちの１つから選択され得る。
【０１０１】
複数の録音１００１は、録音１００２、１００４、１００６、１００８、１０１０、１０１２、１０１４、１０１６、及び１０１８を含む。この例示的な実施例において、複数の録音１００１の各々は、各々の録音が同じ大きさ又はデシベルレベルで再生されるように設定されたベースラインにある。例えば、このベースラインは、中間の脅威レベルに設定され得る。
【０１０２】
今度は図１１を参照すると、例示的な一実施形態による、警報システムにおける警報に対する脅威レベルを示す表の図が描かれている。この例示的な実施例において、表１１００は、列１１０２、列１１０３、及び列１１０４を含む。
【０１０３】
列１１０２は、図１０の複数の録音１００１によって表される種々の警報を示す。列１１０３は、これらの警報の各々に対する現在の脅威レベルを示す。列１１０４は、対応する警報の脅威レベルに基づいて、図１０の複数の録音１００１の各々を修正することに使用されるために計算された倍率を示している。
【０１０４】
今度は図１２を参照すると、例示的な一実施形態による、変換された録音グループの図が描かれている。この例示的な実施例において、図１０の録音グループ１０００は、変換された録音グループ１２００に変換された。変換された録音グループ１２００は、図１の変換された存在物の感覚表現１０４の１つの実施態様の別の例である。
【０１０５】
変換された録音グループ１２００は、複数の修正された録音１２０１を含み、それらは、図１の複数の修正された感覚表現１３２の１つの実施態様の別の例であり得る。図１０の複数の録音１００１の各々は、複数の修正された録音１２０１を生成するために、図１１の中で示された対応する倍率を使用して、修正された。
【０１０６】
描かれているように、複数の修正された録音１２０１は、修正された録音１２０２、１２０４、１２０６、１２０８、１２１０、１２１２、１２１４、１２１６、及び１２１８を含む。修正された録音１２０２、１２０４、１２０６、１２０８、１２１０、１２１２、１２１４、１２１６、及び１２１８は、録音１００２、１００４、１００６、１００８、１０１０、１０１２、１０１４、１０１６、及び１０１８のそれぞれの修正されたバージョンであり得る。
【０１０７】
複数の修正された録音１２０１は、次から次へと連続して再生され得る。ユーザは、複数の修正された録音１２０１を聞いて、複数の修正された録音１２０１によって表される警報の各々の脅威レベルに関する相対的な重要度を、素早く、かつ容易に理解することができるだろう。例えば、より高い脅威レベルに対応する警報は、より低い脅威レベルに対応する警報と比較して、より高い音量において再生され得る。このタイプの理解を用いて、例えば、ユーザは、どの警報、ひいては建物の中のどの部屋が、最初に対処される必要があるかを素早く、かつ容易に決定することができるだろう。
【０１０８】
別の例示的な実施例において、複数の修正された録音１２０１の中の特定の修正された録音は、その録音に対応する警報が適切である場合に、建物の全体にわたって又は他の領域において再生され得る。修正された録音が再生される音量は、その警報に関連する脅威レベルの理解を提供し得る。
【０１０９】
今度は図１３を参照すると、例示的な一実施形態による、製造指示命令を表す録音の図が描かれている。この例示的な実施例において、録音１３００は、図１の存在物の感覚表現１０２の１つの実施態様の例であり得る。
【０１１０】
録音１３００は、製造指示命令を表す。特に、録音１３００は、製造作業を実行するための言葉による指示命令を提供する人間のオペレータの録音であり得る。
【０１１１】
描かれているように、録音１３００は、複数のセクション１３０１を含む。複数のセクション１３０１は、図１の複数の感覚表現１１２の１つの実施態様の例であり得る。複数のセクション１３０１の各々は、製造作業の異なるステップを実行するための指示命令を表し得る。
【０１１２】
この例示的な実施例において、複数のセクション１３０１は、セクション１３０２、１３０４、１３０６、１３０８、１３１０、１３１２、１３１４、及び１３１６を含む。複数のセクション１３０１の各々は、この実施例においてベースラインにある。具体的には、複数のセクション１３０１の各々は、同じ音量又は類似のデシベルレベルにおいて再生するように設定されている。
【０１１３】
今度は図１４を参照すると、例示的な一実施形態による、製造作業を実行するための種々のステップの重要性を示す表の図が描かれている。この例示的な実施例において、表１４００は、列１４０２、列１４０３、及び列１４０４を含む。
【０１１４】
列１４０２は、指示命令が図１３の録音１３００によって提供される、種々のステップを示す。列１４０３は、種々のステップに対して割り当てられた重要性を示す。列１４０４は、種々のステップに対する指示命令を表す複数のセクション１３０１に対して計算された倍率を示す。これらの倍率は、複数のセクション１３０１の各々の音量を修正するために使用され得る。
【０１１５】
今度は図１５を参照すると、例示的な一実施形態による、変換された録音の図が描かれている。この例示的な実施例において、図１３の録音１３００は、変換された録音１５００に変換されている。変換された録音１５００は、図１の変換された存在物の感覚表現１０４の１つの実施態様の更に別の例である。
【０１１６】
変換された録音１５００は、複数の修正されたセクション１５０１を含む。複数の修正されたセクション１５０１は、修正されたセクション１５０２、１５０４、１５０６、１５０８、１５１０、１５１２、１５１４、及び１５１６を含む。複数のセクション１３０１の各々の音量は、複数の修正されたセクションン１５０１を生成するために、各々のセクションによって表される対応するステップに対して、図１４で示された対応する倍率に基づいて調整された。
【０１１７】
変換された録音１５００がユーザに対して再生される場合、ユーザは、音声指示命令のどの部分に対してユーザが注意を払わなければならないかを素早く、かつ容易に理解することができる。複数の修正されたセクション１５０１は、ユーザに、複数の修正されたセクション１５０１によって表される複数のステップの相対的な重要性の感覚的な理解を提供する。
【０１１８】
図２から図１５の中の図解は、例示的な実施形態が実装されるやり方に対する物理的又は構造的な制限を示唆することを意図していない。例示されたものに加えて、又は代えて他の要素が使用され得る。幾つかの要素は、オプションのものであり得る。例えば、画像部分のサイズ変更に加えて、種々の航空機セクションの相対的なエネルギーの使用を示すために、他の図形的特徴が図６の中のディスプレイ３００に対して追加されてもよい。
【０１１９】
今度は図１６を参照すると、例示的な一実施形態による、流れ図の形態で、存在物を表す存在物の感覚表現を修正するためのプロセスの図が描かれている。図１６において示されるプロセスは、図１の存在物の感覚表現１０２などの、存在物の感覚表現を変換するために、図１のトランスフォーマー１００を使用して実施され得る。
【０１２０】
プロセスは、存在物を表す存在物の感覚表現を受信することによって開始し得る（動作１６００）。動作１６００において、存在物の感覚表現は、存在物の部分である複数のアイテムを表す、複数の感覚表現を含む。複数のアイテムの各々は、一組の測定可能な関心要因に対する一組の値に関連し得る。
【０１２１】
次に、複数の感覚表現の各々に対する一組の倍率が、複数のアイテムの各々に関連する一組の値に基づいて、計算される（動作１６０２）。その後、複数の感覚表現は、複数の感覚表現の各々に対して計算される一組の倍率を使用して修正されて、一組の測定可能な関心要因に関する複数の修正された感覚表現によって表される複数のアイテム間の相対的な関係性を規定する、複数の修正された感覚表現が生成され得る（動作１６０４）。その後、プロセスは終了する。
【０１２２】
今度は図１７を参照すると、例示的な一実施形態による、流れ図の形態で、存在物の感覚表現を生成するためのプロセスが描かれている。図１７において示されるプロセスは、図１の存在物の感覚表現１０２などの、存在物の感覚表現を生成するために実施され得る。
【０１２３】
プロセスは、複数のアイテムを含む存在物を特定することによって開始する（動作１７００）。例示的な一実施例において、存在物は、動作１７００にて、１以上のアイテムのｎ次元のアレイを含む入力を受信する、図１のコンピュータシステム１０６などのコンピュータシステムによって特定され得る。動作１７００において、１以上のアイテムのｎ次元のアレイは、１以上のデータ構造を使用してコンピュータシステム内に記憶され得る。
【０１２４】
次に、複数のアイテムの各々に対して、感覚表現が得られる（動作１７０２）。動作１７０２において、コンピュータシステムにおいて入力として感覚表現を受信することによって、データベース若しくはクラウドストレージから感覚表現を読み出すことによって、新しい感覚表現を生成することによって、又は他の何らかのやり方によって、感覚表現が得られ得る。
【０１２５】
例示的な一実施例として、動作１７０２において得られる感覚表現は、画像の形態をとり得る。画像は、画像システムからの入力として受信され得るし、データベース、サーバシステム、若しくはクラウドストレージから読み出され得るし、所定の基準若しくは仕様に基づいて生成され得るし、画像プログラムを使用するユーザによって生成され得るし、又は他の何らかのやり方で得られ得る。
【０１２６】
その後、一組のパラメータが、感覚表現の各々に対して定量化される（動作１７０４）。動作１７０４において、一組のパラメータの各々に対する値が取得され得、測定され得、又は複数の感覚表現の各々に対して他の何らかのやり方によって、定量化され得る。感覚表現が画像である場合、一組のパラメータは、画素における幅及び高さを含み得る。
【０１２７】
次に、定量化された一組のパラメータは、感覚表現の各々に対して正規化された一組のパラメータを生成するために正規化され得る（１７０６）。その後、感覚表現は、正規化された一組のパラメータを使用して修正され、複数の感覚表現が生成される。複数の感覚表現は共同で、存在物の感覚表現をなす（動作１７０８）。その後、プロセスは終了する。
【０１２８】
動作１７０８において、複数の感覚表現の各々は、同じベースラインに設定され得る。複数の感覚表現が画像の形態をとる場合、各画像が動作１７０８でベースラインの幅及びベースラインの高さを有するよう修正され得るように、画像の幅及び高さは動作１７０６において正規化され得る。
【０１２９】
今度は図１８を参照すると、例示的な一実施形態による、流れ図の形態で、存在物の感覚表現を生成する複数の感覚表現の各々に対して一組の倍率を計算するためのプロセスが描かれている。図１８において示されるプロセスは、例えば、図１の複数の感覚表現１１２の各々に対して、一組の倍率を特定するように実施され得る。
【０１３０】
このプロセスは、存在物を生成する複数のアイテムに対する関心要因を特定することによって開始する（動作１８００）。他の例示的な実施例において、２以上の関心要因が動作１８００において特定され得る。
【０１３１】
動作１８００において特定される関心要因は、測定可能であり得る。更に、関心要因は、静的でもよいし動的ででもよい。関心要因が静的である場合、関心要因の測定された値は、経時的に変化しない可能性がある。関心要因が動的である場合、関心要因の測定された値は、経時的に変化し得る。実施態様によっては、関心要因は多次元であり得る。例えば、関心要因は、３つの座標を含む位置であり得る。
【０１３２】
次に、複数のアイテムの各々についての関心要因の値が特定され得る（動作１８０２）。動作１８０２において、値は、測定を実行すること、センサデータを解釈すること、主観的情報を値に変換すること、又は他の何らかのタイプの定量化の少なくとも１つによって定量化され得る。
【０１３３】
本明細書の中において使用されるように、「少なくとも１つ」というフレーズは、アイテムの列挙に関連して使用される場合、列挙されたアイテムの１以上の種々の組み合わせが使用され得ることと、列挙の中の各々のアイテムの１つだけが必要とされ得る、ということを意味する。言い換えると、「少なくとも１つ」は、アイテムの任意の組み合わせを意味し、かつ任意の数のアイテムが列挙から使用され得るが、列挙の中の全てのアイテムが必要とされるわけではない。アイテムは、具体的な物体、物事、又はカテゴリーである。
【０１３４】
例えば、「アイテムＡ、アイテムＢ、又はアイテムＣのうちの少なくとも１つ」若しくは「アイテムＡ、アイテムＢ、及びアイテムＣのうちの少なくとも１つ」は、非限定的に、アイテムＡ、アイテムＡ及びアイテムＢ、又はアイテムＢを含み得る。この例はまた、アイテムＡ、アイテムＢ、及びアイテムＣ、又はアイテムＢ及びアイテムＣを含み得る。無論、これらのアイテムの任意の組み合わせが存在し得る。他の例において、「少なくとも１つ」は、例えば、非限定的に、２つのアイテムＡ、１つのアイテムＢ、及び１０個のアイテムＣ、４つのアイテムＢ及び７つのアイテムＣ、又は他の適切な組み合わせであり得る。
【０１３５】
その後、最初の倍率が、複数のアイテムの各々に対して計算され得る（動作１８０４）。例示的な一実施例において、特定のアイテムに対する最初の倍率は、動作１８０２において特定のアイテムに対する関心要因の特定された値を、複数のアイテムの特定された値の全ての合計で割ることによって、計算され得る。無論、最初の倍率は、他の例示的な実施例において、他の何らかのやり方において計算され得る。ある場合において、倍率は、計算された相対的な重要度とみなされ得る。
【０１３６】
次に、最終的な倍率が、非線形ファクターを使用して、複数のアイテムに対応する複数の感覚表現の各々に対して計算され得る。（動作１８０６）。その後、プロセスは終了する。例示的な一実施例において、非線形ファクターは、対数ファクターであり得る。動作１８０６は、特定のアイテムに対して特定された最初の倍率に、対数ファクターを掛け、この掛け算の積を対応する感覚表現に対する最終的な倍率として設定することによって、実行され得る。
【０１３７】
今度は図１９を参照すると、例示的な一実施形態による、流れ図の形態で、変換された存在物の感覚表現を生成するためのプロセスが描かれている。図１９において示されるプロセスは、図１８において説明されたような存在物の感覚表現における複数の感覚表現に対して特定された倍率を使用して、図１７において説明されたプロセスによって生成される存在物の感覚表現を変換するために実施され得る。
【０１３８】
このプロセスは、複数の感覚表現の各々に対する正規化された一組のパラメータを拡大縮小して、複数の感覚表現の各々に対する拡大縮小された一組のパラメータを生成することによって開始し得る（動作１９００）。複数の感覚表現の各々に対して生成された拡大縮小された一組のパラメータを使用して、複数の修正された感覚表現が生成され得る（動作１９０２）。
【０１３９】
その後、複数の修正された感覚表現を使用して、変換された存在物の感覚表現が生成され得る（動作１９０４）。動作１９０４は、任意の数のやり方において実行され得る。例えば、複数の修正された感覚表現は、変換された存在物の感覚表現を生成するために、組み合わされ得るし、重ねられ得るし、順序付けられ得るし、互いに関して位置決めされ得るし、又は任意の数のやり方において操作され得る。
【０１４０】
その後、変換された存在物の感覚表現は、関心要因に関する複数の修正された感覚表現によって表される複数のアイテム間の相対的な関係性を規定するために、少なくとも１つの人間の感覚を使用して出力され得る（動作１９０６）。その後、プロセスは終了する。他の例示的な実施例において、関心要因は一組の測定可能な関心要因であり得る。
【０１４１】
今度は図２０Ａ及び図２０Ｂを参照すると、例示的な一実施形態による、流れ図の形態で、変換された存在物の画像を生成するためのプロセスが描かれている。例えば、非限定的に、図２０Ａ及び図２０Ｂにおいて示されるプロセスは、図１の変換された存在物の画像１４８を生成するために実施され得る。
【０１４２】
プロセスは、存在物の画像の複数の画像部分を特定することによって開始し得る（動作２０００）。次に、存在物の画像を表示するための全ディスプレイ領域の境界が特定される（動作２００２）。
【０１４３】
その後、全ディスプレイ領域の境界の座標が特定される（動作２００４）。全ディスプレイ領域の形状によっては、これらの座標は、全ディスプレイ領域の角に対するものであり得、全ディスプレイ領域の境界に対する開始端及び終了端であり得、又は全ディスプレイ領域の境界の途中の他のタイプの点に対するものであり得る。その後、全ディスプレイ領域の中心点が特定される（動作２００６）。
【０１４４】
その後、複数の画像部分に対する複数のディスプレイ領域が、全ディスプレイ領域内で特定される（動作２００８）。一組のサイズパラメータが、複数のディスプレイ領域の各々に対して定量化される（動作２０１０）。動作２０１０において、複数のディスプレイ領域の各々に対する一組のサイズパラメータは、例えば、各々のディスプレイ領域についての画素の幅及び画素の高さを含み得る。
【０１４５】
次に、基準中心点が、複数のディスプレイ領域の各々に対して特定され得る（動作２０１２）。全ディスプレイ領域の中心点に対して特定された各々の基準中心点からの距離が、計算される（動作２０１４）。動作２０１４において、この距離は、ｘ、ｙ座標、又はｘ、ｙ、ｚ座標などの、デカルト点座標を使用して計算され得る。他の実施例において、距離は、２次元、３次元、ｎ次元における距離と角度を表すベクトルを使用して、又は他の何らかのタイプの距離測定技術を使用するそれらの何らかの組み合わせによって計算され得る。
【０１４６】
複数のディスプレイ領域の各々に対する一組のサイズパラメータの各々には、各々のディスプレイ領域に対応する画像部分に対して計算された倍率を掛けられて、複数の修正されたディスプレイ領域、ひいては複数の修正された画像部分が生成される。ある場合において、サイズ変更は１対１のサイズ変更であり得る。例えば、倍率１によってディスプレイ領域をサイズ変更することは、ディスプレイ領域のサイズを変化し得ない。それ故、対応する画像部分のサイズは、変化され得ない。
【０１４７】
その後、重なっている変換された存在物の画像、又は分解組立てされた（ｅｘｐｌｏｄｅｄ）変換された存在物の画像が生成されるべきか否かに関する決定がなされる（動作２０１８）。重なっている変換された存在物の画像が生成されるべきであれば、その後、プロセスは、複数の修正されたディスプレイ領域の各々、ひいては複数の修正された画像部分を、複数のディスプレイ領域に対して元々計算された基準中心点に中心合わせすることによって、重なっている変換された存在物の画像を生成する（動作２０２０）。その後、プロセスは終了する。
【０１４８】
動作２０２０において、複数の修正された画像部分の１以上が、他の修正された画像部分と重なり得る。ある例示的な実施例において、修正されたディスプレイ領域、ひいては修正された画像部分は、最も小さい倍率に関連する修正された画像部分から開始し最も大きな倍率に関連する修正された画像部分で終了する全ディスプレイ領域に加えられ得る。このようにして、より大きな相対的な重要度を有するアイテムを表す修正された画像部分が、より小さい相対的な重要度を有するアイテムを表す別の修正された画像部分と重なり得る。
【０１４９】
再び動作２０１８を参照すると、分解組立てされた変換された存在物の画像が生成されるべきであれば、プロセスは、全ディスプレイ領域の中心点から各修正されたディスプレイ領域に対する基準中心点への距離に、対応する倍率を掛けることによって、複数の修正されたディスプレイ領域の各々に対して新しい基準中心点を計算する（動作２０２２）。次に、複数の修正されたディスプレイ領域、ひいては複数の修正された画像部分の各々が、対応する新しい基準中心点に中心合わせされて、分解組立てされた存在物の画像が生成され得る（動作２０２４）。
【０１５０】
その後、分解組立てされた変換された存在物の画像に対する新しい全ディスプレイ領域が、元々の全ディスプレイ領域と同じサイズを有するように調整され得る（動作２０２６）。その後、プロセスは終了する。ある例示的な実施例において、動作２０２４又は動作２０２６は、複数の修正された画像部分を再接続するために、ラインを追加することを含み得る。
【０１５１】
ある場合において、連続的なつながりが、存在物の感覚表現を作り上げる感覚表現の間に存在し得る。例示的な一実施例として、存在物の画像が航空機であり、複数の画像部分が航空機の部品である場合に、動作２０００において特定された複数の画像部分の間に連続的なつながりが存在し得る。別の実施例として、連続的なつながりが、録音におけるスピーチのセグメント間に存在し得る。このタイプの連続的なつながりが存在物の画像の中に存在する場合、分解組立てされた変換された存在物の画像を形成する複数の修正された部分の間のこのつながりを維持することが望ましいであろう。
【０１５２】
例えば、動作２０２４において生成された分解組立てされた変換された存在物における複数の修正された画像部分の間の連続性を維持するために、中間をつなぐ感覚表現コンテンツを生成する１以上の技術すなわちアルゴリズムが使用され得る。これは、複数の修正された画像部分が、動作２０２４において対応する新しい基準中心点に中心合わせされた後に使用され得る。例えば、非限定的に、使用される１以上の技術又はアルゴリズムは、補間技術、平滑化アルゴリズム、充填アルゴリズム、補外技術、線形的な補外技術、線引き技術、他の何らかのタイプのアルゴリズム若しくは技術、又はそれらの何らかの組み合わせを含み得る。
【０１５３】
ある例示的な実施例において、動作２０２６に類似する動作は、動作２０２０後に実行され得る。言い換えると、ある場合において、重なっている変換された存在物の画像に対する新しい全ディスプレイ領域は、元々の全ディスプレイ領域と同じサイズを有するように調整され得る。他の例示的な実施例において、動作２０２６は、新しい全ディスプレイ領域を他の何らかのサイズに調整するために実行され得る。
【０１５４】
今度は図２１を参照すると、例示的な一実施形態による、流れ図の形態で、変換された存在物の感覚表現を生成するためのプロセスが描かれている。例えば、非限定的に、図２１において示されるプロセスは、図１の変換された存在物の感覚表現１０４を生成するために使用され得る。
【０１５５】
プロセスは、存在物の感覚表現を作り上げる複数の感覚表現を特定することによって開始し得る（動作２１００）。次に、存在物の感覚表現を出力するための全出力範囲の境界が特定される（動作２１０２）。その後、全出力範囲の境界の座標が特定される（動作２１０４）。その後、全出力領域の中心点が特定される（動作２１０６）。
【０１５６】
動作２１０２、２１０４、及び２１０６に関して、全出力範囲は、処理されている存在物の感覚表現のタイプに応じて、種々の形態をとり得る。存在物の感覚表現が、音声の形態をとる場合、全出力範囲の境界は、例えば、非限定的に、時間、周波数、音圧、及び強度などの、１以上の次元に対応し得る。
【０１５７】
例示的な一実施例として、図１３の録音１３００などの録音に対する全出力範囲の境界は、時間及び音圧などのパラメータの形態をとり得る。これらの境界の座標は、例えば、開始時間及び終了時間、並びに音圧に対応する境界としての最大音圧レベル及び最小音圧レベルを含み得る。全出力範囲の中心点は、開始時間及び終了時間の間の中間点、並びに最大及び最小の音圧レベルの間の中間点から成り得る。
【０１５８】
別の例示的な実施例において、録音に対する境界は、周波数、及び音量、強度、若しくは音圧のうちの１つなどの、パラメータの形態をとり得る。境界が周波数及び音量である場合、これらの境界の座標は、例えば、最も低い周波数及び最も高い周波数、並びに最大音量レベル及び最小音量レベルを含み得る。したがって、全出力範囲の中心点は、中間周波数点及び中間音量レベルから成り得る。中間周波数点は、周波数の線形又は対数測定値を使用して、計算され得る。
【０１５９】
その後、複数の感覚表現に対する複数の出力が、全出力範囲内で特定される（動作２１０８）。存在物の感覚表現が録音であり、複数の感覚表現が録音のセクションである場合、複数の出力は、全出力範囲内の対応するセクションであり得る。
【０１６０】
一組のパラメータが、複数の出力の各々に対して定量化される（動作２１１０）。動作２１１０において、複数の出力の各々に対する一組のパラメータは、例えば、周波数範囲、音量範囲、時間間隔、強度範囲、又は他の何らかのタイプのパラメータを含み得る。
【０１６１】
次に、基準中心点が、複数の出力の各々に対して特定され得る（動作２１１２）。特定された各々の基準中心点から全出力範囲の中心点への距離が、計算される（動作２１１４）。例示的な一実施例として、この距離は、音声の場合に一時的な距離であり得る。
【０１６２】
複数の出力の各々に対する一組のパラメータの各々には、複数の修正された出力、ひいては複数の修正された感覚表現を生成するために、各々の出力に対応する感覚表現に対して計算された倍率が掛けられる。動作２１１６において、感覚表現が音声である場合、各々の出力の周波数、音量、時間、強度、音圧、又は他の何らかのパラメータが拡大縮小され得る。
【０１６３】
複数の修正された出力の各々に対する新しい基準中心点が、全出力範囲の中心点から各々の修正された出力に対する基準中心点までの距離に、対応する倍率を掛けることによって、計算され得る（動作２１１８）。次に、複数の修正された出力、ひいては複数の感覚表現は、特定された対応する新しい基準中心点を使用して、再構成されて、変換された存在物の感覚表現が生成され得る（動作２１２０）。その後、プロセスは終了する。
【０１６４】
図示した種々の実施形態でのフローチャート及びブロック図は、例示的な一実施形態における装置及び方法のいくつかの可能な実施態様の構造、機能、及び動作を示している。これに関し、流れ図又はブロック図の各ブロックは、１つのモジュール、セグメント、機能、動作又はステップの一部、これらの何らかの組み合わせを表わすことができる。
【０１６５】
例示的な一実施形態のある代替的な実装では、ブロックに記載された１以上の機能が、図中に記載の順序を逸脱して現れてもよい。例えば、場合によっては、連続して示されている２つのブロックがほぼ同時に実行されてもよいし、又は時には含まれる機能によってはブロックが逆順に実施されてもよい。また、流れ図又はブロック図に描かれているブロックに加えて他のブロックが追加されてもよい。
【０１６６】
ある例示的な実施例において、図１７の動作１７０６は、オプションのステップでもよい。このやり方において、動作１７０６において生成された正規化された一組のパラメータは、オプションで正規化された一組のパラメータと呼ばれ得る。例示的な一実施例において、上の図１７で説明されたプロセスは、定量化された複数の組のパラメータを有する感覚表現が、存在物の感覚表現を生成するために使用されるように、動作１７０４の後に終了し得る。ある例示的な実施例において、図１８の動作１８０６は、オプションのステップであり得る。動作１８０６が実行されない場合、複数のアイテムの各々に対して動作１８０４で計算された最初の倍率は、各々の対応する感覚表現に対する最終的な倍率として使用され得る。
【０１６７】
今度は図２２を参照すると、例示的な実施形態による、ブロック図の形態で、データ処理システムが描かれている。データ処理システム２２００を使用して、図１のコンピュータシステム１０６を実施することができる。図示されているように、データ処理システム２２００は、通信フレームワーク２２０２を含み、これによってプロセッサユニット２２０４、記憶デバイス２２０６、通信ユニット２２０８、入出力ユニット２２１０、及びディスプレイ２２１２の間の通信を提供する。場合によっては、通信フレームワーク２２０２は、バスシステムとして実装されてもよい。
【０１６８】
プロセッサユニット２２０４は、任意の数の動作を実行するソフトウェアのための指示命令を実行するように設定されている。プロセッサユニット２２０４は、実装に応じて、幾つかのプロセッサ、マルチプロセッサコア、又は他の種類のプロセッサの少なくとも１つを備えてもよい。場合によっては、プロセッサユニット２２０４は、回路システム、特定用途向け集積回路（ＡＳＩＣ）、プログラマブル論理デバイスなどのハードウェアユニット、又は他の何らかの好適な種類のハードウェアユニットの形態を取ってもよい。
【０１６９】
オペレーティングシステム、アプリケーション、及びプロセッサユニット２２０４によって実行されるプログラムに対する指示命令が、記憶デバイス２２０６の中に配置されてもよい。記憶デバイス２２０６は、通信フレームワーク２２０２を介してプロセッサユニット２２０４と通信を行ってもよい。本明細書で使用されるように、記憶デバイスはまた、コンピュータ可読記憶デバイスと称されることもあり、一時的に、永続的に、又はその両方で情報を記憶することができる任意のハードウェアの一部である。この情報は、限定するものではないが、データ、プログラムコード、他の情報、又はこれらの何らかの組み合わせを含むことができる。
【０１７０】
メモリ２２１４及び固定記憶域２２１６は、記憶デバイス２２０６の実施例である。メモリ２２１４は、例えば、ランダムアクセスメモリ又は何らかのタイプの揮発性もしくは不揮発性記憶デバイスの形態をとり得る。固定記憶域２２１６は、任意の数の構成要素又はデバイスを含み得る。例えば、固定記憶域２２１６は、ハードドライブ、フラッシュメモリ、書換え可能な光ディスク、書換え可能な磁気テープ、又は上記の何らかの組み合わせを含み得る。固定記憶域２２１６によって使用される媒体は、着脱可能でもよいし着脱不可能でもよい。
【０１７１】
通信ユニット２２０８により、データ処理システム２２００は、他のデータ処理システム、デバイス、又はその両方と通信することができる。通信ユニット２２０８は、物理的な通信リンク、無線通信リンク、又はその両方を使用して通信することができる。
【０１７２】
入出力ユニット２２１０は、データ処理システム２２００に接続された他のデバイスとの、入力の受信及び出力の送信を可能にする。例えば、入出力ユニット２２１０は、キーボード、マウス、他の何らかのタイプの入力デバイス、又はこれらの組み合わせを介して、ユーザ入力を受信することができる。別の実施例として、入出力ユニット２２１０は、データ処理システム２２００に接続されたプリンタに出力を送信することができる。
【０１７３】
ディスプレイ２２１２は、ユーザに対して情報を表示するように設定される。ディスプレイ２２１２は、例えば、限定するものではないが、モニター、タッチスクリーン、レーザーディスプレイ、ホログラフィックディスプレイ、仮想表示デバイス、他の何らかの種類のディスプレイデバイス、又はこれらの組み合わせを含み得る。ディスプレイ２２１２は、図１のディスプレイデバイス１５２が実施され得る１つのやり方の実施例である。
【０１７４】
この例示的な実施例では、様々な例示的な実施形態の処理は、コンピュータに実行される命令を用いて、プロセッサユニット２２０４によって実施されてもよい。これらの指示命令は、プログラムコード、コンピュータで使用可能なプログラムコード、又はコンピュータ可読プログラムコードと呼ばれ、かつプロセッサユニット２２０４内の１以上のプロセッサによって読取及び実行され得る。
【０１７５】
これらの実施例において、プログラムコード２２１８は、機能的な形態でコンピュータ可読媒体２２２０内に配置され、それは、選択的に消去可能であり、プロセッサユニット２２０４による実行のためにデータ処理システム２２００にロード又は転送され得る。プログラムコード２２１８及びコンピュータ可読媒体２２２０は、コンピュータプログラム製品２２２２を共に形成する。この例示的な実施例において、コンピュータ可読媒体２２２０は、コンピュータ可読記憶媒体２２２４又はコンピュータ可読信号媒体２２２６であり得る。
【０１７６】
コンピュータ可読記憶媒体２２２４は、プログラムコード２２１８を伝播又は転送する媒体ではなく、プログラムコード２２１８を記憶するために使用される、物理的な又は有形の記憶デバイスである。コンピュータ可読記憶媒体２２２４は、例えば、非限定的に、データ処理システム２２００に接続された、光学ディスク又は磁気ディスク又は固定記憶デバイスであり得る。
【０１７７】
代替的に、プログラムコード２２１８は、コンピュータ可読信号媒体２２２６を用いてデータ処理システム２２００に転送可能である。コンピュータ可読信号媒体２２２６は、例えば、プログラムコード２２１８を含む伝播されたデータ信号であってもよい。このデータ信号は、物理的及び／又は無線の通信リンクを介して伝送され得る、電磁信号、光信号、又は他の何らかのタイプの信号であってもよい。
【０１７８】
図２２のデータ処理システム２２００の図は、例示的な実施形態を実施できる方法に対する、物理的又は構造的な限定を示唆することを意図していない。種々の例示的な実施形態が、データ処理システム２２００に関して示されている構成要素に対する付加的な又は代替的な構成要素を含む、データ処理システムで実施される。更に、図２２に示した他の構成要素は、図示の例示的な実施例と異なり得る。
【０１７９】
このタイプのデータ処理システム２２００を用いて、以下のステップを有する、存在物の画像（１４２）の変換された存在物の画像（１４８）への変換を自動化するためのコンピュータで実施される方法が、可能になる、すなわち、この方法は、
存在物（１０８）を表す存在物の画像（１４２）を受信するステップであって、存在物の画像（１４２）は、存在物（１０８）の部分である複数のアイテム（１１０）を表す複数の画像部分（１４４）を含む、ステップ、
複数のアイテム（１１０）の各々に対する一組の測定可能な関心要因（１２４）に対する一組の値（１３０）を特定するステップ、
複数のアイテム（１１０）の各々に関連する一組の値（１３０）に基づいて、複数の画像部分（１４４）の各々に対する一組の倍率（１３８）を計算するステップ、
複数の画像部分（１４４）の各々に対して特定された一組の倍率（１３８）を使用して、複数の画像部分（１４４）を修正し、複数の修正された画像部分（１４６）を生成するステップ、及び
全ディスプレイ領域に対して、複数の修正された画像部分（１４６）の相互の位置を調整して、変換された存在物の画像（１４８）するステップ有する。
ここで、変換された存在物の画像（１４８）は、一組の測定可能な関心要因（１２４）に関する複数の修正された画像部分（１４６）によって表される複数のアイテム（１１０）間の相対的な関係性を視覚的に規定する。
【０１８０】
それ故、例示的な実施形態は、１以上の測定可能な関心要因に関する存在物におけるアイテムの相対的な重要度の理解を提供するために、感覚表現を使用するための方法及び装置を提供する。特に、図１の中で説明された変換された存在物の感覚表現１０４は、ユーザが、感覚表現の基礎となったデータを解釈し、理解し、又は処理する必要性なしに、アイテムの相対的な重要度、アイテムの相対的な重要性、又は他の何らかのアイテムの相対的測定をより素早く、かつ容易に理解することを可能にする。
【０１８１】
上述した種々の例示的な実施形態の記載は、例示及び説明を目的とするものであり、実施形態を開示のもので網羅されたと意図しないし、実施形態を開示のものに限定することを意図していない。当業者には、多数の修正例及び変形例が明らかであろう。更に、種々の例示的な実施形態は、他の好ましい実施形態に照らして別の利点を提供することができる。選択された一又は複数の実施形態は、実施形態の原理、実際の用途を最もよく説明するため、及び、様々な実施形態の開示内容と考慮される特定の用途に適した様々な修正との理解を、他の当業者に対して促すために選択及び記述されている。
【符号の説明】
【０１８２】
１００  トランスフォーマー
１０２  存在物の感覚表現
１０４  変換された存在物の感覚表現
１０６  コンピュータシステム
１０８  存在物
１１０  複数のアイテム
１１２  複数の感覚表現
１１４  視覚
１１６  聴覚
１１８  臭覚
１２０  触覚
１２２  味覚
１２４  一組の測定可能な関心要因
１２６  測定可能な関心要因
１２８  値
１３０  一組の値
１３２  複数の修正された感覚表現
１３４  感覚表現
１３６  一組のパラメータ
１３８  一組の倍率
１４０  修正された感覚表現
１４１  拡大縮小された一組のパラメータ
１４２  存在物の画像
１４４  複数の画像部分
１４６  複数の修正された画像部分
１４８  変換された存在物の画像
１５０  出力デバイス
１５２  ディスプレイデバイス
１５４  正規化された一組の拡大縮小可能なパラメータ
２００  一組の存在物
２０２  一組の存在物の感覚表現
２０４  航空機
２０６  企業経営チーム
２０８  製造指示命令
２１０  警報システム
２１２  複数の航空機セクション
２１４  複数の従業員
２１６  複数のステップ
２１８  複数の警報
２２０  航空機の画像
２２２  ピクチャークラウド
２２４  録音
２２６  録音グループ
２２８  複数の画像部分
２３０  複数の従業員のピクチャー
２３２  複数の音声セクション
２３４  複数の録音
２３６  一組の寸法
２３８  一組の寸法
２４０  デシベルレベル
２４２  デシベルレベル
３００  ディスプレイ
３０１  航空機の画像
３０２  胴体部
３０４  コックピット部
３０６  尾部
３０７  ラダー部
３０８  右翼部
３１０  左翼部
３１２  右エルロン部
３１４  左エルロン部
３１６  右エンジン部
３１８  左エンジン部
３２０  上境界
３２２  左境界
３２４  下境界
３２６  右境界
３２８  第１の角
３３０  第２の角
３３２  第３の角
３３４  第４の角
３３６  中心点
４００  複数のディスプレイ領域
４０２  胴体ディスプレイ領域
４０４  コックピットディスプレイ領域
４０６  尾部ディスプレイ領域
４０７  ラダーディスプレイ領域
４０８  右翼ディスプレイ領域
４１０  左翼ディスプレイ領域
４１２  右エルロンディスプレイ領域
４１４  左エルロンディスプレイ領域
４１６  右エンジンディスプレイ領域
４１８  左エンジンディスプレイ領域
４２０  コックピット中心点
５００  表
５０２〜５０４  列
５０６〜５１０  行
６００  変換された航空機の画像
６０１  複数の修正された画像部分
６０２  修正された胴体部
６０４  修正されたコックピット部
６０６  修正された尾部
６０７  修正されたラダー部
６０８  修正された右翼部
６１０  修正された左翼部
６１２  修正された右エルロン部
６１４  修正された左エルロン部
６１６  修正された右エンジン部
６１８  修正された左エンジン部
７００  ピクチャークラウド
７０２  複数のメンバーのピクチャー
７０４〜７１８  メンバーのピクチャー
８００  表
８０２〜８０４  列
９００  変換されたピクチャークラウド
９０２  複数の修正されたメンバーのピクチャー
９０４〜９１８  修正されたメンバーのピクチャー
１０００  録音グループ
１００２〜１０１８  録音
１１００  表
１１０２〜１１０４  列
１２００  変換された録音グループ
１２０２〜１２１８  修正された録音
１３００  録音
１３０１  複数のセクション
１３０２〜１３１６  セクション
１４００  表
１４０２〜１４０４  列
１５００  変換された録音
１５０２  修正されたセクション
１５０４〜１５１６  修正されたセクション
１６００〜２１２０  動作
２２００  データ処理システム
２２０２  通信フレームワーク
２２０４  プロセッサユニット
２２０６  記憶デバイス
２２０８  通信ユニット
２２１０  入出力ユニット
２２１２  ディスプレイ
２２１４  メモリ
２２１６  固定記憶域
２２１８  プログラムコード
２２２０  コンピュータ可読媒体
２２２２  コンピュータプログラム製品
２２２４  コンピュータ可読記憶媒体
２２２６コンピュータ可読信号媒体
【図１】
0006594071.tif 000002
【図２】
0006594071.tif 000003
【図３】
0006594071.tif 000004
【図４】
0006594071.tif 000005
【図５】
0006594071.tif 000006
【図６】
0006594071.tif 000007
【図７】
0006594071.tif 000008
【図８】
0006594071.tif 000009
【図９】
0006594071.tif 000010
【図１０】
0006594071.tif 000011
【図１１】
0006594071.tif 000012
【図１２】
0006594071.tif 000013
【図１３】
0006594071.tif 000014
【図１４】
0006594071.tif 000015
【図１５】
0006594071.tif 000016
【図１６】
0006594071.tif 000017
【図１７】
0006594071.tif 000018
【図１８】
0006594071.tif 000019
【図１９】
0006594071.tif 000020
【図２０Ａ】
0006594071.tif 000021
【図２０Ｂ】
0006594071.tif 000022
【図２１】
0006594071.tif 000023
【図２２】
0006594071.tif 000024